(57)【要約】【課題】機器本体の背面板７の横方向中央部に壁掛け用の固定具１１，１２を取付けた壁掛け式機器であって、機器本体の前面に、横方向中央から片側にずれた部分に位置させて、押し操作される操作部材を配置するものにおいて、操作部材の押し操作時とその操作解除時に機器本体がぐらつくことを防止する。【解決手段】背面板７に、横方向中央から操作部材の配置部と同じ側にずれた部分と反対側にずれた部分とに位置させて、壁に当接する凸部７ｂ，７ｃを設ける。また、幅の狭い板材に固定具１１，１２を固定する場合を考慮し、固定具１１，１２の背面板７に対する取付基部１１ａ，１２ａの横方向両側部にも、壁に当接可能な突起１１ｆ，１１ｇ、１２ｆ，１２ｇを形成する。【選択図】図４
2005214590.tif 000002
【特許請求の範囲】
【請求項１】
機器本体の背面の横方向中央部に壁掛け用の固定具を取付けた壁掛け式機器であって、固定具は、機器本体の背面に固定される取付基部と、取付基部に後方への段差部を存して連設される、壁に対する固定部とを備え、更に、機器本体の前面に、横方向中央から片側にずれた部分に位置させて、押し操作される操作部材を配置するものにおいて、
機器本体の背面に、横方向中央から操作部材の配置部と同じ側にずれた部分に位置させて、固定具の固定部と同等の前後方向位置まで後方に突出する凸部を設けたことを特徴とする壁掛け式機器。
【請求項２】
前記機器本体の背面に、横方向中央から前記操作部材の配置部と反対側にずれた部分に位置させて、前記固定具の前記固定部と同等の前後方向位置まで後方に突出する第２の凸部を設けたことを特徴とする請求項１記載の壁掛け式機器。
【請求項３】
機器本体の背面の横方向中央部に固定した固定具を介して壁に取付けられる壁掛け式機器であって、固定具は、機器本体の背面に固定される取付基部と、取付基部に後方への段差部を存して連設される、壁に対する固定部とを備え、更に、機器本体の前面に、横方向中央部から片側にずれた部分に位置させて、押し操作される操作部材を配置するものにおいて、
固定具の取付基部に、操作部材の配置部と同じ側の横側部に位置させて、固定具の固定部と同等の前後方向位置まで後方に突出する突起を設けたことを特徴とする壁掛け式機器。
【請求項４】
前記固定具の前記取付基部に、前記操作部材の配置部と反対側の横側部に位置させて、固定具の前記固定部と同等の前後方向位置まで後方に突出する第２の突起を設けたことを特徴とする請求項３記載の壁掛け式機器。
【発明の詳細な説明】
【技術分野】
【０００１】
本発明は、機器本体の背面の横方向中央部に壁掛け用の固定具を取付けた湯沸し器等の壁掛け式機器に関する。
【背景技術】
【０００２】
この種の壁掛け式機器で用いる固定具は、機器本体の背面に固定される取付基部と、取付基部に後方への段差部を存して連設される、壁に対する固定部とを備えており、機器本体の背面と壁との間に固定具の段差部に対応する隙間が確保される。壁掛け式機器が湯沸し器等の燃焼器である場合、この隙間によって壁への伝熱が抑制される。
【０００３】
尚、このような段差部付きの固定具を用いると、取付基部が固定部に対し段差部を介して片持ち支持されることになり、段差部の撓みによって機器本体のがたつきを生ずることがある。そこで、従来、固定具の取付基部の端縁の横方向中央部に、固定具の固定部と同等の前後方向位置まで後方に突出する突起を形成したものが知られている(例えば、特許文献１参照)。これによれば、壁に固定部を固定したときに突起が壁に当接し、取付基部が突起によって支えられてその支持剛性が高められ、機器本体のがたつきが抑制される。
【０００４】
ところで、湯沸し器では、機器本体の前面に、通水・止水のための押し操作される操作部材を配置している。そして、機器本体内に設けるバルブ類のレイアウト上等の理由で、操作部材を機器本体の前面の横方向中央から片側にずれた部分に配置することがある。この場合、操作部材を押し操作すると、機器本体に固定具と中心としたモーメントが作用する。ここで、取付基部の端縁の横方向中央部に突起を形成しておいても、取付基部のねじり剛性は左程高くならない。そのため、操作部材を強く押した場合、機器本体を介して取付基部に作用するモーメントにより取付基部のねじれを生じ、機器本体がぐらつくことがある。
【特許文献１】特開平９−４２７７６号公報(段落００１０、図３，４)
【発明の開示】
【発明が解決しようとする課題】
【０００５】
本発明は、以上の点に鑑み、操作部材の操作による機器本体のぐらつきを防止できるようにした壁掛け式機器を提供することをその課題としている。
【課題を解決するための手段】
【０００６】
上記課題を解決するために、機器本体の背面の横方向中央部に壁掛け用の固定具を取付けた壁掛け式機器であって、固定具は、機器本体の背面に固定される取付基部と、取付基部に後方への段差部を存して連設される、壁に対する固定部とを備え、更に、機器本体の前面に、横方向中央から片側にずれた部分に位置させて、押し操作される操作部材を配置するものにおいて、本発明の第１の特徴によれば、機器本体の背面に、横方向中央から操作部材の配置部と同じ側にずれた部分に位置させて、固定具の壁に対する固定部と同等の前後方向位置まで後方に突出する凸部を設け、また、本発明の第２の特徴によれば、固定具の取付基部に、操作部材の配置部と同じ側の横側部に位置させて、固定具の固定部と同等の前後方向位置まで後方に突出する突起を設けている。
【０００７】
上記した本発明の第１の特徴によれば、固定具の固定部を壁に固定したときに、機器本体の背面の凸部が壁に当接する。そして、この凸部は操作部材の配置部と同じ側に片寄っているため、操作部材の押し操作時に機器本体に作用する押圧力は凸部により受けられる。従って、操作部材を押し操作しても、機器本体にはモーメントが作用せず、機器本体のぐらつきが防止される。
【０００８】
ところで、機器を壁に直付けすることができず(設置場所が窓である場合等)、壁に取付けた板材に固定具の固定部を固定する場合、機器本体の背面の凸部が板材から外れ、操作部材の押圧力を凸部で受けられなくなることがある。ここで、上記した本発明の第２の特徴によれば、固定具の固定部を板材に固定したときに、固定具の取付基部の突起が板材に当接する。この場合、操作部材の押圧力により突起が支点となって取付基部にこれをねじろうとする力が作用するが、この突起は操作部材の配置部と同じ側に設けられているため、操作部材からの横方向距離が近く、取付基部に作用するねじり力は極小さくなる。従って、取付基部のねじりは殆ど発生せず、機器本体のぐらつきが防止される。
【０００９】
尚、操作部材の押し操作を解除すると、押し操作時に操作機構及び機器本体の弾性変形で蓄圧された弾性エネルギーが解放されて、機器本体に押し操作時と逆向きのモーメントが作用する。そのため、上記第１の特徴のものにおいては、機器本体の背面に、横方向中央から操作部材の配置部と反対側にずれた部分に位置させて、固定具の固定部と同等の前後方向位置まで後方に突出する第２の凸部を設けることが望ましく、また、上記第２の特徴のものにおいては、固定具の取付基部に、操作部材の配置部と反対側の横側部に位置させて、固定具の固定部と同等の前後方向位置まで後方に突出する第２の突起を設けることが望ましい。
【００１０】
これによれば、第２の凸部または第２の突起が機器本体に作用する上記逆向きのモーメントを受ける受け部として機能し、操作部材の押し操作の解除時に機器本体が押し操作時と逆方向にぐらつくことを防止できる。
【発明を実施するための最良の形態】
【００１１】
図１及び図２を参照して、１は壁掛け式機器たる湯沸し器の機器本体であり、この機器本体１内には、図示しないが、バーナを熱源とする熱交換器と、機器本体１の下端右側の水道管ジョイント２に接続される水系バルブユニットと、機器本体１の下端左側のガス管ジョイント３に接続されるガス系バルブユニットとが設けられている。水道管ジョイント２に連なる水路は水系バルブユニットで熱交換器を通る本水路とバイパス水路とに分岐され、本水路の下流端とバイパス水路の下流端とを機器本体１の下端中央部に設けた混合ジョイント４に接続し、混合ジョイント４の出口に出湯ヘッド５を可撓管６を介して接続している。
【００１２】
機器本体１は、背面板７と前カバー８とで構成されている。前カバー８の前面下部には、横方向中央から右側にずれた部分に位置させて、水系バルブユニットを操作する操作機構に連結される操作部材９が配置されている。操作部材９は押し操作自在であり、操作機構にはプッシュプッシュ機構が組み込まれている。操作部材９の１回目の押し操作を行うと、操作部材９が押し込み位置に係止されて、本水路とバイパス水路への通水が行われ、これに連動してバーナに点火されて出湯ヘッド５から出湯される。そして、操作部材９の２回目の押し操作を行うと、押し込み位置での係止が解除されて操作部材９が非押し込み位置に復帰し、止水される。更に、操作部材９は回動自在であって、その回動によりバイパス水路の通水量が可変され、出湯温度が調節される。また、ガス系バルブユニットに組み込んだ流量調節弁を操作する調節レバー１０を機器本体１の下方に露出させ、このレバー１０の操作でバーナの燃焼量を調節できるようにしている。
【００１３】
機器本体１の背面、即ち、背面板７には、上下一対の壁掛け用の固定具１１，１２が取付けられている。各固定具１１，１２は、図２乃至図４に示す如く、背面板７に対する取付基部１１ａ，１２ａと、取付基部１１ａ，１２ａに後方への段差部１１ｂ，１２ｂを存して連設される、壁に対する固定部１１ｃ，１２ｃとを備えている。取付基部１１ａ，１２ａは、背面板７の上部と下部の横方向中央部分に、背面板７の背面に重ね合わせた状態でねじ１３止めされ、また、固定部１１ｃ，１２ｃは、これに形成した複数の長孔状の取付孔１１ｄ，１２ｄにおいて壁にねじ止めされる。また、上方の固定具１１の固定部１１ｃには、上下２段の引掛け孔１１ｅが形成されており、壁に取付ける引掛け具に一方の引掛け孔１１ｅを係合させるようにしている。尚、背面板７の各固定具１１，１２の取付部分には、補強のために、前方に窪む格子状のリブ７ａが形成されている。
【００１４】
上記の如く段差部１１ｂ，１２ｂ付きの固定具１１，１２を介して機器本体１を壁に取付けることにより、機器本体１の背面と壁との間に隙間が空く。尚、バーナ及び熱交換器からの熱を受け易い背面板７の上部はその下部に対し前方にオフセットされており、その分だけ上方の固定具１１の段差部１１ｂの段差寸法を大きくしている。そのため、背面板７の上部と壁との間の隙間が広く確保され、壁への伝熱が効果的に防止される。
【００１５】
ここで、操作部材９を上記の如く横方向中央から片側(右側)にずれた部分に配置すると、操作部材９を押し操作したときに、機器本体１に横方向中央部に位置する固定具１１，１２を中心としたモーメントが作用する。そして、このモーメントにより固定具１１，１２の取付基部１１ａ，１２ａのねじりを生じて、機器本体１がぐらつくことがある。また、操作部材９の押し操作を解除すると、押し操作時に操作機構及び機器本体１の弾性変形で蓄圧された弾性エネルギーが解放されて、機器本体１に押し操作時と逆向きのモーメントが作用し、機器本体１が押し操作時と逆向きにぐらつくこともある。
【００１６】
そこで、本実施形態では、背面板７の下部に、横方向中央から操作部材９の配置部と同じ側にずれた部分に位置させて、後方に突出する第１の凸部７ｂを形成すると共に、横方向中央から操作部材９の配置部と反対側にずれた部分に位置させて、後方に突出する第２の凸部７ｃを形成している。両凸部７ｂ，７ｃは、固定具１１，１２の固定部１１ｃ，１２ｃと同等の前後方向位置まで後方に突出しており、固定部１１ｃ，１２ｃを壁に固定したときに、両凸部７ｂ，７ｃが壁に当接する。そのため、操作部材９の押圧力は、操作部材９の配置部と同じ側に位置する第１の凸部７ｂにより効率良く受けられ、機器本体１に押圧力によるモーメントは殆ど作用せず、機器本体１のぐらつきが防止される。また、操作部材９の押し操作の解除時に作用する押し操作時と逆向きのモーメントは第２の凸部７ｃで受けられ、機器本体１が操作部材９の押し操作の解除時に押し操作時と逆向きにぐらつくことも防止される。
【００１７】
尚、第１の凸部７ｂは、操作部材９の押圧力をできるだけ効率良く受けられるように、操作部材９の配置部中心の真裏付近に設けることが望ましいが、操作部材９の配置部中心は、遮熱性が要求される背面板７の前方へのオフセット部に近いため、本実施形態では、操作部材９の配置部の中心より若干下方に第１の凸部７ｂを設けている。
【００１８】
ところで、湯沸し器の設置場所に窓がある等して湯沸し器を壁に直付けすることができず、壁に取付けた板材に固定具１１，１２の固定部１１ｃ，１２ｃを固定する場合、背面板７の凸部７ｂ，７ｃが板材から外れ、操作部材９の押圧力や押し操作解除時のモーメントを凸部７ｂ，７ｃで受けられなくなることがある。そこで、本実施形態では、各固定具１１，１２の取付基部１１ａ，１２ａに、操作部材９の配置部と同じ側の横側部に位置させて、後方に突出する第１の突起１１ｆ，１２ｆを形成すると共に、操作部材９の配置部と反対側の横側部に位置させて、後方に突出する第２の突起１１ｇ，１２ｇを形成している。上方の固定具１１の両突起１１ｆ，１１ｇは、この固定具１１の固定部１１ｃと同等の前後方向位置まで後方に突出しており、下方の固定具１２の両突起１２ｆ，１２ｇも、同様に、この固定具１２の固定部１２ｃと同等の前後方向位置まで後方に突出している。そのため、各固定具１１，１２の固定部１１ｃ，１２ｃを板材に固定すると、上方の固定具１１の両突起１１ｆ，１１ｇと下方の固定具１２の両突起１２ｆ，１２ｇが共に板材に当接する。
【００１９】
この場合、操作部材９を押し操作すると、各固定具１１，１２の第１の突起１１ｆ，１２ｆを支点にして各固定具１１，１２の取付基部１１ａ，１２ａにこれをねじろうとする力が作用する。然し、第１の突起１１ｆ，１２ｆと操作部材９との横方向距離は短いため、取付基部１１ａ，１２ａに作用するねじり力は極小さくなる。従って、取付基部１１ａ，１２ａのねじりは殆ど生じず、機器本体１のぐらつきが防止される。また、操作部材９の押し操作解除時の逆向きのモーメントは第２の突起１１ｇ，１２ｇで受けられ、逆向きのモーメントによる機器本体１のぐらつきも防止される。
【００２０】
尚、上方の固定具１１は、操作部材９の配置部からかなり離れているため、突起１１ｆ，１１ｇに左程大きな力は加わらない。そこで、上方の固定具１１の突起１１ｆ，１１ｇは、取付基部１１ａの側縁の曲げ加工で形成している。これに対し、操作部材９に近い下方の固定具１２の突起１２ｆ，１２ｇには大きな力が加わる可能性がある。そこで、下方の固定具１２の突起１２ｆ，１２ｇは、取付基部１２ａの側縁上部の絞り加工により形成し、突起１２ｆ，１２ｇの剛性を高めている。
【００２１】
また、操作部材９の配置中心の上下方向位置が下方の固定具１２の取付基部１２ａの上縁よりも下方であれば、上方の固定具１１には、操作部材９の押し操作による力が殆ど作用しなくなる。従って、この場合には、上方の固定具１１に突起１１ｆ，１１ｇを形成しなくても良い。
【００２２】
また、本実施形態では、背面板７の第１の凸部７ｂを横長に形成し、固定具１１，１２を固定する板材の幅が固定具１１，１２よりある程度広ければ、板材に凸部７ｂが当接するようにしている。尚、背面板７に、横方向略全幅に亘って延在するリブ状の凸部を形成し、この凸部の両端部で第１と第２の両凸部７ｂ，７ｃを構成することも可能である。これによれば、下方の固定具１２の突起１２ｆ，１２ｇは不要になる。然し、このようなリブ状凸部を形成すると、背面板７と壁との間の隙間への下方からの空気の流入が妨げられ、壁の遮熱性が悪くなる。従って、湯沸し器では、両凸部７ｂ，７ｃを本実施形態のように分設し、背面板７と壁との間の隙間に両凸部７ｂ，７ｃ間において下方から空気が流入されるようにすることが望ましい。
【００２３】
以上、湯沸し器に本発明を適用した実施形態について説明したが、湯沸し器以外の壁掛け式機器にも同様に本発明を適用できる。
【図面の簡単な説明】
【００２４】
【図１】本発明機器の実施形態である湯沸し器の正面図。
【図２】図１の右側面図。
【図３】図１の湯沸し器の背面板の正面図。
【図４】図３の背面板の後方から見た斜視図。
【符号の説明】
【００２５】
１…機器本体、７…機器本体の背面板、７ｂ…凸部、７ｃ…第２の凸部、９…操作部材、１１，１２…固定具、１１ａ，１２ａ…取付基部、１１ｂ，１２ｂ…段差部、１１ｃ，１２ｃ…固定部、１１ｆ，１２ｆ…突起、１１ｇ，１２ｇ…第２の突起。
【図１】
2005214590.tif 000003
【図２】
2005214590.tif 000004
【図３】
2005214590.tif 000005
【図４】
2005214590.tif 000006